(57)【要約】【課題】調整要素が負傷事故などの原因にならない手摺取付金具を提供する。【解決手段】台座１０と持ち出し部品２０と手摺受け部品３０とからなる。台座は縦長孔に通したボルトＢ１で壁に固定され、壁に直角に突出する突出部１２と、突出部の基端部周囲に形成された凹部１３を有する。持ち出し部品は壁方向に開口する凹部２３を形成し、かつ台座の凹部と突出部に嵌合する嵌合部２１と、その嵌合部の端部から上方に突設された軸受け部２２とを有する。手摺受け部品は持ち出し部品の軸受け部と同様の軸受け部３１と、その軸受け部の上側に設けられた手摺受け部３３とを有する。台座１０と持ち出し部品２０は、台座の突出部１２を持ち出し部品の凹部２３に、持ち出し部品の嵌合部２１を台座の凹部１３に挿入した状態で持ち出し部品の嵌合部と台座の突出部の横長孔に通したボルトＢ２とナットｎ１で締結され、手摺受け部品と手摺受け部品は、両軸受け部２１，３１に通したボルトＢ３を中心に回動自在に連結される。【選択図】図２
2006200291.tif 000002
【特許請求の範囲】
【請求項１】
縦長孔に挿通されるボルトにより壁面に固定される壁取付部、前記壁面に対して直角方向に突出する突出部、及び前記突出部の基端部のほぼ周囲に形成され、前記壁面から遠ざかる方向に開口する凹部を有する台座と、前記壁面方向に開口し、前記台座の突出部が挿入される凹部を形成し、前記壁面方向に突出して前記台座の突出部及び凹部に嵌合する嵌合部、及びその嵌合部の前記壁面と反対側の端部から上方に突設され、前記壁面に対して直角で水平なボルト挿通孔が形成された軸受け部を有する持ち出し部品と、及びその持ち出し部品の軸受け部のボルト挿通孔と合致するボルト挿通孔を有して前記持ち出し部品の軸受け部に当接される軸受け部、及びその軸受け部の上側に設けられた手摺受け部を有し、当接された前記両軸受け部に挿通されたボルトを中心に回動自在に連結された手摺受け部品とからなる手摺取付金具。
【発明の詳細な説明】
【技術分野】
【０００１】
本発明は、手摺を壁に取り付けるための手摺取付金具に関する。
【背景技術】
【０００２】
このような手摺取付金具は、（１）取付高さ調整、（２）壁からの距離調整、（３）傾斜・水平角度調整の三つの調整機能を果たす構造を備えることが必要である。
【０００３】
従来の壁取付型手摺用取付金具が上記調整機能を実現するために備える構造は、調整のために金具本体から突出量が変化するスペーサその他の部材を有し、そのスペーサなどの位置又は突出量の変化によって、外部に大きさの異なる隙間が発生したり、長さの異なる突起が突出したりするものである。
【特許文献１】とくになし
【発明の開示】
【発明が解決しようとする課題】
【０００４】
上記のように、従来の手摺取付金具は、外部に隙間や突起が露見されるため、好奇心旺盛な幼児などがその隙間に指先を差し込んで怪我したり、指先が抜けなくなったり、突起で衣服が捕捉されたりするおそれがある。
【０００５】
本発明は、上記の事情に鑑みてなされたものであり、その解決しようとする課題は、調整のための要素が負傷その他の事故の原因にならないように構成した手摺用取付金具を提供することにある。
【課題を解決するための手段】
【０００６】
上記の課題を解決するため、本発明は、次のような台座と持ち出し部品と手摺受け部品とからなっている。すなわち、台座は、縦長孔に挿通されるボルトにより壁面に固定される壁取付部と、前記壁面に対して直角方向に突出する突出部と、前記突出部の基端部のほぼ周囲に形成され、前記壁面から遠ざかる方向に開口する凹部とを有するものであり、前記持ち出し部品は、前記壁面方向に開口し、前記台座の突出部が挿入される凹部を形成し、かつ前記壁面方向に突出して前記台座の突出部及び凹部に嵌合する嵌合部と、前記嵌合部の前記壁面と反対側の端部から上方に突設され、前記壁面に対して直角で水平なボルト挿通孔が形成された軸受け部とを有するものであり、前記手摺受け部品は、前記持ち出し部品の軸受け部のボルト挿通孔と合致するボルト挿通孔を有して前記持ち出し部品の軸受け部に当接される軸受け部と、その軸受け部の上側に設けられた手摺受け部とを有するものであり、台座と持ち出し部品は、台座の突出部を持ち出し部品の嵌合部の凹部に挿入し、かつ、持ち出し部品の嵌合部を台座の凹部に挿入した状態で持ち出し部品の嵌合部と台座の突出部の横長孔に通したボルトとナットで締結され、手摺受け部品と手摺受け部品は、両軸受け部に通したボルトを中心に回動自在に連結されることを特徴としている。
【０００７】
上記構成により、台座は、壁取付部の縦長孔に挿通されたボルトにより壁面に高さ調整可能に固定される。また、台座と持ち出し部品は、台座の突出部と持ち出し部品の嵌合部に貫通されたボルト及びこれに螺合されたナットにより、持ち出し部品の前記壁面からの距離を調整可能に締結されている。そして、手摺受け部品は、これで手摺を支持するほか、持ち出し部品の軸受け部と手摺受け部品の軸受け部のボルトを中心として回動して手摺の角度を調整することができる。
【発明の効果】
【０００８】
本発明によれば、台座により手摺の取付高さを調整することができ、台座と持ち出し部品により手摺の壁面に対する離間距離を調整することができる。また、持ち出し部品と手摺受け部品の受け部のボルトを中心として回動して手摺の取付角度の調整が可能である。いずれの調整においても凹部が外部に露呈されないので、幼児などがその凹部に指先を挿入して怪我をしたり、異物を挿入したりすることを防止できる。
【発明を実施するための最良の形態】
【０００９】
次に、本発明の実施の形態について、図面に基づいて説明する。
図１は本発明に係る手摺取付金具の使用状態を示す正面図、図２は図１のＸ−Ｘ線断面図、図３は同手摺取付金具のみの正面図、図４は同背面図、図５は同平面図、図６は同底面図、図７は第１構成要素である台座のそれぞれ反対側から見た斜視図、図８は第２構成要素である持ち出し部品の互いに反対側から見た斜視図、図９は第３構成要素である手摺受け部品の互いに反対側から見た斜視図である。
【００１０】
本発明による手摺取付金具Ａは、概略的には、壁面Ｗに第１ボルトＢ１により固定される台座１０と、その台座に第２ボルトＢ２を介して連結される持ち出し部品２０と、その持ち出し部品の上部に第３ボルトＢ３を介して回動自在に連結され、上面に手摺Ｒを載せて固定する手摺受け部品３０とからなっている。
【００１１】
台座１０は、図７に示すように、下部に壁取付部１１を、その上側に突出部１２を、その突出部の基端部の外周に凹部１３を有している。壁取付部１１には、その正面から背面（壁面方向）に貫通する縦長孔１４が形成され、その縦長孔の周囲に正面側に凹む環状凹部１５が形成されている。これにより、縦長孔１４に第１ボルトＢ１を貫通し、壁Ｗにねじ込むことにより、台座１０は壁面に対して高さ調整可能に固定される。
【００１２】
台座１０の突出部１２は、壁取付部１より正面側（壁面から離れる方向）に突出し、その中間部において上下方向に貫通する横長孔１６が形成されている。なお、図示の例では、材料節減のため突出部の横長孔よりも背面側が肉取り１７されている。そして、突出部１２の基端部の外周の一部又は全部に沿って壁１８が設けられてその壁と突出部の間に、正面側（壁面から遠ざかる方向）に開口する凹部１３が形成さている。好ましくは、壁取付部１１及び壁１８の外側面、並びに突出部１２の下面と側面の稜部には、壁面に取り付けられている状態で人の手などがぶつかっても怪我しないように、丸みを備えてある。
【００１３】
持ち出し部品２０は、図８に示すように、、壁面に対して直角な方向に延びる嵌合部２１と、その嵌合部の正面側（壁面と反対側）の端部から上方に突設された軸受け部２２とを有する。嵌合部２１は外観がほぼ筒状に形成されて背面（壁面方向）に開口する凹部２３を有する。そして、嵌合部２１の背面側（壁面側）部分を台座１０の凹部１３に挿入し、また、台座１０の突出部１２を嵌合部２１の凹部２３に挿入して、台座１０の突出部１２の長さ方向及び凹部１３の開口方向に移動自在に嵌合することができる。
【００１４】
持ち出し部品２０の嵌合部２１の底壁には、背面側（台座１０側）の部分に嵌合部の長手方向（壁面に対して直角方向）に長い長孔又は切欠２４が形成されて凹部２３が嵌合部２１の下方に連通されている。また、嵌合部２１の上壁にはその上面から凹部２３に貫通する、上側段付きのボルト挿通孔２５が設けられている。こうして、持ち出し部品２０の嵌合部２１の凹部２３に台座１０の突出部１２を挿入した後、第２ボルトＢ２の軸を切欠２４の下方から突出部１２の横長孔１６に挿通し、さらに、嵌合部２１のボルト挿通孔２５に貫通し、そのボルト貫通孔の上側段部にセットしたナットｎ１にねじ込むことにより  締結される。
【００１５】
軸受け部２２には、その中央に正面側段付きのボルト挿通孔２６が形成され、かつ、背面に平滑な垂直面２７を有している。好ましくは、軸受け部２２の上半部は、ボルト挿通孔を中心とする円弧に沿った湾曲面に形成されている。その他、持ち出し部品２０の外面にも台座の場合と同様の目的で丸みが備えてある。
【００１６】
手摺受け部品３０は、図９に示すように、持ち出し部品２０の軸受け部２２のボルト挿通孔２６と合致するボルト挿通孔３２を有して持ち出し部品２０の軸受け部２２の背面にに当接される軸受け部３１と、その軸受け部の上側にその軸受け部のボルト挿通孔３２の軸線と直角な方向の両側に延びる手摺受け部３３とを有している。手摺受け部品３０の持ち出し部品２０の軸受け部２２に対する支持安定性を確保するため、手摺受け部品３０の軸受け部３１の正面を手摺受け部３３の幅方向中央付近まで後退させるとともに、その軸受け部３１の手前側に手摺受け部品３０の軸受け部３１の上部円弧凸面と合致する円弧凹面を有する嵌合面３４が形成されている。軸受け部３１の正面側は平滑な垂直面とされている。
【００１７】
なお、図示の例では、手摺受け部３３の上部の幅方向両側に手摺Ｒの下面に嵌合する際の位置決めのために段部３５が形成され、手摺受け部３３の長手方向両端部付近に上下方向に貫通するビス挿通用の下側段付きの長孔３６が形成されている。
【００１８】
こうして、持ち出し部品２０の軸受け部２２を手摺受け部品３０の嵌合面に嵌合するとともに、二つの軸受け部２２，３１の垂直面同士を当接して連通されたボルト挿通孔２６，３２に第３ボルトＢ３を挿通し、その先端にナットｎ２を螺合して締結され、そのボルトを中心として回動自在に連結されている。
【００１９】
上記の構成により、手摺Ｒを壁面Ｗに取付ける場合に、手摺Ｒの高さを何らかの理由により調整する必要があるときは、第１ボルトＢ１を緩めて台座１０を上下方向に適切な位置まで移動した後、再び第１ボルトを締め付けることにより高さ調整が可能であり、また、手摺Ｒの壁面からの距離を調整する必要がある場合は、第２ボルトＢ２を緩めて持ち出し部品２０を壁面から離れる方向又は壁面に近づく方向に所要位置まで移動した後、再び第２ボルトＢ２のナットｎ１を締め付けることにより、壁面からの距離調整が可能であり、さらに、手摺Ｒの傾斜角度の調整が必要な場合は、第３ボルトＢ３を緩めてそのボルトを中心として手摺を図１において時計方向又は反時計方向に回動し、再びそのボルトナットＢ３，ｎ２を締め付けることにより、傾斜角度の調整も可能である。そして、これらのいずれの調整の有無又は調整量にかかわらず、台座１０と持ち出し部品２０の間又は持ち出し部品と手摺受け部品３０の間に、凹部１３，２３及び突出部１２は外部に現われることがないので、幼児などが指先を挿入したり、あるいは衣服などを引っ掛けることもない。従って、高さ調整、突出量調整及び傾き調整の３機能を有する手摺取付金具を安心して設置し、使用することができる。
【図面の簡単な説明】
【００２０】
【図１】本発明に係る手摺取付金具の使用状態を示す正面図。
【図２】図１のＸ−Ｘ線断面図。
【図３】本発明に係る手摺取付金具のみの正面図。
【図４】本発明に係る手摺取付金具のみの背面図。
【図５】本発明に係る手摺取付金具のみの平面図。
【図６】本発明に係る手摺取付金具のみの底面図。
【図７】第１構成要素である台座のそれぞれ反対側から見た斜視図。
【図８】第２構成要素である持ち出し部品の互いに反対側から見た斜視図。
【図９】第３構成要素である手摺受け部品の互いに反対側から見た斜視図。
【符号の説明】
【００２１】
Ｗ        壁
Ａ        手摺取付金具
Ｂ１，Ｂ２，Ｂ３      ボルト
１０      台座
１１      壁取付部
１２      突出部
１３      凹部
１４      縦長孔
１６      横長孔
２０      持ち出し部品
２１      嵌合部
２２      軸受け部
２３      凹部
２５      ボルト挿通孔
２６      ボルト挿通孔
３０      手摺受け部品
３１      軸受け部
３２      ボルト挿通孔
３３      手摺受け部
【図１】
2006200291.tif 000003
【図２】
2006200291.tif 000004
【図３】
2006200291.tif 000005
【図４】
2006200291.tif 000006
【図５】
2006200291.tif 000007
【図６】
2006200291.tif 000008
【図７】
2006200291.tif 000009
【図８】
2006200291.tif 000010
【図９】
2006200291.tif 000011